【手続補正書】
【提出日】平成25年9月20日(2013.9.20)
【手続補正１】
【補正対象書類名】特許請求の範囲
【補正対象項目名】全文
【補正方法】変更
【補正の内容】
【特許請求の範囲】
【請求項１】
環状円盤型の本体と環状ハブと平行な巻きワイヤーのコイルとを有するショックコイルであって、該環状円盤型の本体は、該本体の外面の周辺部に形成された外部リングによって囲まれており、該環状ハブは、該本体の内面の周辺部に形成されており、該平行な巻きワイヤーのコイルは、該本体の表面に取り付けられている、ショックコイルと、
該ショックコイルにガスを導入するためのラバルノズルであって、該ノズルは、環状円盤型ノズル本体を含み、該環状円盤型ノズル本体は、該ノズル本体の内面の周辺部で該ハブに結合され、該ノズル本体の外面の周辺部で、該ショックコイルの本体の内面の周辺部に隣接して配置された半径方向の環状ノズル出口を該ハブと共に形成し、該ノズルは、ガスを該ショックコイルの本体の内面から該ショックコイルの本体の外面の周辺部に向かって該コイルの表面を越えて半径方向に放出するように方向付けられており、ガスが該コイルの表面を越えて放出され、該コイルに電圧が加えられると、環状プラズマが該コイルの表面から放出される、ラバルノズルと
を含む、プラズマ生成システム。
【請求項２】
前記平行な巻きワイヤーのコイルは、単巻きコイルである、請求項１に記載のプラズマ生成システム。
【請求項３】
前記平行な巻きワイヤーのコイルは、マルチストランドコイルである、請求項２に記載のプラズマ生成システム。
【請求項４】
前記平行な巻きワイヤーのコイルのワイヤーは、前記本体の外側半径に隣接して角度的に間隔をあけた点から始まり、該本体の表面を一周して該本体の内側半径で終わる、請求項１に記載のプラズマ生成システム。
【請求項５】
前記平行な巻きワイヤーのコイルのワイヤーは、前記本体の周辺部から始まる、請求項４に記載のプラズマ生成システム。
【請求項６】
前記ハブに面する前記ノズル本体の表面は、該ハブの表面と共に環状ガスプレナムおよび伸縮ノズルを形成する、請求項１に記載のプラズマ生成システム。
【請求項７】
前記ハブ内に形成され、前記ガスプレナムと連通する複数のガス流路をさらに含む、請求項６に記載のプラズマ生成システム。
【請求項８】
前記複数のガス流路と共に配列された複数のバルブシートを有するバルブシートリングをさらに含む、請求項７に記載のプラズマ生成システム。
【請求項９】
前記外側リングに結合されたシュラウドをさらに含む、請求項１に記載のプラズマ生成システム。
【請求項１０】
前記ショックコイルは、前記ワイヤーに同時に電流を流すように構成されている、請求項１に記載のプラズマ生成システム。
【請求項１１】
前記ワイヤーは、前記ショックコイルの表面に対して方位角方向に対称である複数のグループのワイヤーにグループ化される、請求項１に記載のプラズマ生成システム。
【請求項１２】
前記本体に結合されたシュラウドをさらに含む、請求項２に記載のプラズマ生成システム。
【請求項１３】
プラズマを生成する方法であって、該方法は、
低インダクタンスショックコイルの環状円盤型の本体に結合された平行な巻きワイヤーのコイルに中性ガスを半径方向に分配するステップと、
該コイルの巻線に電圧を加えるステップと、
該ガスをイオン化することにより、プラズマを生成するステップと
を含む、方法。
【請求項１４】
前記形成されたプラズマを前記ショックコイルから放出するステップをさらに含む、請求項１３に記載の方法。
【請求項１５】
前記コイルに電圧を加えるステップは、該コイルのすべてワイヤーに電圧を加えることを含む、請求項１３に記載の方法。
【請求項１６】
前記コイルに電圧を加えるステップは、第一の組のワイヤーに電圧を加えることと、所定の時間の後に、第二の組のワイヤーに電圧を加えることとを含む、請求項１３に記載の方法。
【請求項１７】
前記コイルに電圧を加えるステップは、前記ワイヤーに同時に電流を流すことを含む、請求項１３に記載の方法。
【請求項１８】
前記プラズマを放出するステップは、環状プラズマを放出することを含む、請求項１４に記載の方法。
【請求項１９】
前記平行な巻きワイヤーのコイルに中性ガスを半径方向に分配するステップは、ノズルの円周方向の出口から前記環状円盤型の本体の外面の周辺部に向かってプラズマを半径方向に方向付けることを含む、請求項１３に記載の方法。
【請求項２０】
チャンバー内でプラズマを制限する方法であって、該方法は、
チャンバー内に磁気ガイド領域を生成するステップと、
低インダクタンスショックコイルの環状円盤型の本体に結合された平行な巻きワイヤーのコイルに中性ガスを分配するステップと、
該ショックコイルのコイルの巻線に電圧を加えるステップと、
該ガスをイオン化することにより、プラズマを生成するステップと、
該ガイド領域の磁力線に沿って、該ショックコイルから該チャンバーに形成されたプラズマを放出するステップと、
該プラズマを回転させることにより、該プラズマを囲むポロイダル自己磁場を形成するステップと、
該プラズマの回転エネルギーを増加させることにより、該ガイド領域の大きさに打ち勝つレベルまで該自己磁場の大きさを増加させるステップと、
磁場反転配位（ＦＲＣ）トポロジーを有する磁場において該ガイド領域の磁力線と該自己電場とを結合するステップと
を含む、方法。
【請求項２１】
前記プラズマを回転させるステップは、前記チャンバー内で方位角電場を生成することにより、前記プラズマを回転させることを含む、請求項２０に記載の方法。
【請求項２２】
前記コイルに電圧を加えるステップは、該コイルのすべてのワイヤーに電圧を加えることを含む、請求項２０に記載の方法。
【請求項２３】
前記コイルに電圧を加えるステップは、第一の組のワイヤーに電圧を加えることと、所定の時間の後に、第二の組のワイヤーに電圧を加えることとを含む、請求項２０に記載の方法。
【請求項２４】
前記プラズマを放出するステップは、環状プラズマを放出することを含む、請求項２０に記載の方法。
【請求項２５】
前記ガイド領域を生成するステップは、前記チャンバーの周辺部に延在する複数の磁場コイルおよびミラーコイルに電圧を加えることを含む、請求項２０に記載の方法。
【請求項２６】
前記ガイド領域の大きさを増加させることにより、回転プラズマを所定の半径で保持するステップをさらに含む、請求項２０に記載の方法。
【請求項２７】
前記方位角電場を生成するステップは、前記チャンバー内でベータトロンフラックスコイルに電圧を加えることにより、前記コイルを通り抜ける電流を増加させるステップを含む、請求項２０に記載の方法。
【請求項２８】
前記回転プラズマの回転エネルギーを増加させるステップは、前記コイルを通り抜ける電流の変化率を増加させることを含む、請求項２７に記載の方法。
【請求項２９】
前記フラックスコイルを通り抜ける電流の変化率を増加させることにより、融合レベルの回転エネルギーまで前記回転プラズマを加速するステップをさらに含む、請求項２８に記載の方法。
【請求項３０】
前記チャンバー内に静電気的井戸を生成するステップをさらに含む、請求項２０に記載の方法。
【請求項３１】
前記静電気的井戸を調整するステップをさらに含む、請求項３０に記載の方法。
【請求項３２】
前記静電気的井戸を調整するステップは、前記ガイド領域の大きさを操作することを含む、請求項３１に記載の方法。
【請求項３３】
高エネルギーのイオンビームを前記ＦＲＣに注入し、該ＦＲＣ内でベータトロン軌道内に該ビームを閉じ込めるステップをさらに含む、請求項３０に記載の方法。
【請求項３４】
前記高エネルギーのイオンビームを注入し、閉じ込めるステップは、
該イオンビームを中和するステップと、
該中和されたイオンビームから電気分極を排出するステップと、
該中和されたイオンビームに、前記印加された磁場によるローレンツ力を働かせることにより、該イオンビームをベータトロン軌道に曲げるステップと
をさらに含む、請求項３３に記載の方法。
【請求項３５】
前記ＦＲＣ内にイオンを磁気的に閉じ込め、前記静電気的井戸内に静電気的に電子を閉じ込めるステップをさらに含む、請求項３３に記載の方法。
【請求項３６】
前記ショックコイルは、前記ワイヤーに同時に電流を流すように構成されている、請求項２０に記載の方法。
【請求項３７】
前記ワイヤーは、前記ショックコイルの表面に対して方位角方向に対称である複数のグループのワイヤーにグループ化される、請求項２０に記載の方法。
【手続補正２】
【補正対象書類名】図面
【補正対象項目名】全図
【補正方法】変更
【補正の内容】
【図１５】
2013101134.tif 000001
【図１６】
2013101134.tif 000002
【図１９】
2013101134.tif 000003
【図２０Ａ】
2013101134.tif 000004
【図２０Ｂ】
2013101134.tif 000005
【図２０Ｃ】
2013101134.tif 000006
【図２１Ｃ】
2013101134.tif 000007
【図２２Ａ】
2013101134.tif 000008
【図２２Ｂ】
2013101134.tif 000009
【図２３Ａ】
2013101134.tif 000010
【図２３Ｂ】
2013101134.tif 000011
【図２６】
2013101134.tif 000012
【図２７Ａ】
2013101134.tif 000013
【図２７Ｂ】
2013101134.tif 000014
【図２８】
2013101134.tif 000015
【図２９】
2013101134.tif 000016
【図３１】
2013101134.tif 000017
【図３２】
2013101134.tif 000018
【図１】
2013101134.tif 000019
【図２Ａ】
2013101134.tif 000020
【図２Ｂ】
2013101134.tif 000021
【図２Ｃ】
2013101134.tif 000022
【図２Ｄ】
2013101134.tif 000023
【図３】
2013101134.tif 000024
【図４】
2013101134.tif 000025
【図５】
2013101134.tif 000026
【図６】
2013101134.tif 000027
【図７】
2013101134.tif 000028
【図８】
2013101134.tif 000029
【図９】
2013101134.tif 000030
【図１０】
2013101134.tif 000031
【図１１】
2013101134.tif 000032
【図１２】
2013101134.tif 000033
【図１３】
2013101134.tif 000034
【図１４】
2013101134.tif 000035
【図１７】
2013101134.tif 000036
【図１８】
2013101134.tif 000037
【図２１Ａ】
2013101134.tif 000038
【図２１Ｂ】
2013101134.tif 000039
【図２２Ｃ】
2013101134.tif 000040
【図２４Ａ】
2013101134.tif 000041
【図２４Ｂ】
2013101134.tif 000042
【図２４Ｃ】
2013101134.tif 000043
【図２５】
2013101134.tif 000044
【図３０】
2013101134.tif 000045